【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
携帯型サービスアクセストランシーバにおいて、
前記携帯型サービスアクセストランシーバの推定ロケーションを判断することと、
前記推定ロケーションを含む１つまたは複数の第１のメッセージを、測位サービスにおいて使用するために、サーバに送信することと、
基準点に相対した、前記携帯型サービスアクセストランシーバの動きを示す１つまたは複数の条件を検出することと、
前記１つまたは複数の条件の前記検出に応答して、前記推定ロケーションの信頼性または不確実性を示す１つまたは複数の第２のメッセージを、前記サーバに送信することと、
前記動きを示す１つまたは複数の条件を前記検出することに応答して、前記携帯型サービスアクセストランシーバが、１つまたは複数のローカル送信機から収集された１つまたは複数の信号に少なくとも部分的に基づいて、更新された推定ロケーションを計算することと、ここで、前記１つまたは複数のローカル送信機は、ワイヤードバックホールを利用する、
を備える方法。
【請求項２】
前記１つまたは複数の条件を前記検出することは、
前記１つまたは複数のローカル送信機から送信された前記１つまたは複数の信号を収集することと、
前記１つまたは複数の信号のうちの少なくとも１つの、特性の変化を検出することと、
をさらに備える、請求項１に記載の方法。
【請求項３】
前記特性は、受信信号強度、往復時間または信号位相を備える、請求項２に記載の方法。
【請求項４】
前記検出された変化に応答して、前記１つまたは複数のローカル送信機のロケーションが変化していないと推論することと、
前記１つまたは複数のローカル送信機のロケーションが変化していないという前記推論に応答して、前記携帯型サービスアクセストランシーバのロケーションが変化したと推論することと、
をさらに備える、請求項２に記載の方法。
【請求項５】
前記１つまたは複数のローカル送信機の前記ロケーションが変化していないと推論することは、
前記１つまたは複数の条件の検出に続いて取得された、前記１つまたは複数のローカル送信機から収集された前記１つまたは複数の信号のうちの少なくとも１つの信号の１つまたは複数の特性の測定値を、前記１つまたは複数の条件の検出に先立って取得されたその前記少なくとも１つの信号の１つまたは複数の特性の測定値と比較すること
をさらに備える、請求項４に記載の方法。
【請求項６】
前記１つまたは複数の条件の検出に応答して、更新位置フィックスを計算するための動作を開始することをさらに備える、請求項１に記載の方法。
【請求項７】
静止屋内送信機から送信された信号の収集に少なくとも部分的に基づいて、前記更新位置フィックスを取得することをさらに備える、請求項６に記載の方法。
【請求項８】
インターネットプロトコル（ＩＰ）に従ってワイヤードネットワークにサービストラフィックを送信し、前記ワイヤードネットワークからサービスを受信することをさらに備え、前記１つまたは複数の条件を検出することは、新たに割り振られたＩＰアドレスを検出することを備える、請求項１に記載の方法。
【請求項９】
前記１つまたは複数の条件を検出することは、電力源からの前記携帯型サービスアクセストランシーバの切断を検出することを備える、請求項１に記載の方法。
【請求項１０】
前記携帯型サービスアクセストランシーバにおける衛星測位システム（ＳＰＳ）信号の収集に少なくとも部分的に基づいて、前記携帯型サービスアクセストランシーバのロケーションの更新された推定値を計算することを試みることをさらに備える、請求項１に記載の方法。
【請求項１１】
前記携帯型サービスアクセストランシーバの前記更新された推定ロケーションを前記計算することは、ＳＰＳ信号の収集に少なくとも部分的に基づいて、前記更新された推定ロケーションを計算することを試みることが不成功であった後に起きる、請求項１に記載の方法。
【請求項１２】
携帯型サービスアクセストランシーバであって、
通信ネットワーク上のロケーションにメッセージを送信するための送信機と、
前記携帯型サービスアクセストランシーバの推定ロケーションを判断し、
測位サービスにおいて使用するために、前記送信機を通した、サーバへの、前記推定ロケーションを含む１つまたは複数の第１のメッセージの送信を開始し、
基準点に相対した前記携帯型サービスアクセストランシーバの動きを示す１つまたは複数の条件を検出し、
前記１つまたは複数の条件の前記検出に応答して、前記送信機を通した、前記サーバへの、前記推定ロケーションの信頼性または不確実性を示す１つまたは複数の第２のメッセージの送信を開始し、
前記携帯型サービスアクセストランシーバの動きを確認し、前記動きを示す１つまたは複数の条件の検出に応答して、１つまたは複数のローカル送信機から収集された１つまたは複数の信号に少なくとも部分的に基づいて、前記携帯型サービスアクセストランシーバの更新された推定ロケーションを計算する、ここで、前記１つまたは複数のローカル送信機は、ワイヤードバックホールを利用する、
ためのプロセッサと、
を備える携帯型サービスアクセストランシーバ。
【請求項１３】
外部電力源への接続を提供するための電源をさらに備え、前記プロセッサはさらに、前記接続の途絶の検出に少なくとも部分的に応答して、前記１つまたは複数の条件を検出する、請求項１２に記載の携帯型サービスアクセストランシーバ。
【請求項１４】
ブロードバンド通信ネットワークに接続するためのモデムをさらに備え、前記プロセッサはさらに、前記携帯型サービスアクセストランシーバへの新規インターネットプロトコルアドレスの割振りに少なくとも部分的に応答して、前記１つまたは複数の条件を検出する、請求項１２に記載の携帯型サービスアクセストランシーバ。
【請求項１５】
前記プロセッサはさらに、
１つまたは複数のビーコンから収集された１つまたは複数の信号のうちの少なくとも１つの、特性における検出された変化に応答して、１つまたは複数のビーコンのロケーションが変化していないと推論し、
前記１つまたは複数のビーコンのロケーションが変化していないという前記推論に応答して、前記携帯型サービスアクセストランシーバのロケーションが変化したと推論する、
請求項１２に記載の携帯型サービスアクセストランシーバ。
【請求項１６】
前記プロセッサはさらに、前記１つまたは複数の条件の検出に応答して、更新位置フィックスを計算するための動作を開始する、請求項１２に記載の携帯型サービスアクセストランシーバ。
【請求項１７】
前記プロセッサはさらに、静止屋内ビーコンから送信された信号の収集に少なくとも部分的に基づいて、前記更新位置フィックスを取得する、請求項１６に記載の携帯型サービスアクセストランシーバ。
【請求項１８】
前記プロセッサはさらに、
インターネットプロトコル（ＩＰ）に従ってワイヤードネットワークへのサービストラフィックの送信を開始し、前記ワイヤードネットワークからサービスを受信し、前記１つまたは複数の条件を検出することは、新たに割り振られたＩＰアドレスを検出することを備える、請求項１２に記載の携帯型サービスアクセストランシーバ。
【請求項１９】
専用コンピューティング装置によって、
携帯型サービスアクセストランシーバの推定ロケーションを判断し、
測位サービスにおいて使用するために、サーバへの、前記推定ロケーションを含む１つまたは複数の第１のメッセージの送信を開始し、
基準点に相対した前記携帯型サービスアクセストランシーバの動きを示す１つまたは複数の条件を検出し、
前記１つまたは複数の条件の前記検出に応答して、前記推定ロケーションの信頼性または不確実性を示す１つまたは複数の第２のメッセージの、前記サーバへの送信を開始し、
前記携帯型サービスアクセストランシーバの動きを確認し、前記動きを示す１つまたは複数の条件の検出に応答して、１つまたは複数のローカル送信機から収集された１つまたは複数の信号に少なくとも部分的に基づいて、前記携帯型サービスアクセストランシーバの更新された推定ロケーションを計算する、ここで、前記１つまたは複数のローカル送信機は、ワイヤードバックホールを有する、
ように実行可能な、記憶された機械可読命令を備える非一時的記憶媒体を備える、物品。
【請求項２０】
前記命令は、前記専用コンピューティング装置によって、
前記１つまたは複数のローカル送信機から収集された１つまたは複数の信号のうちの少なくとも１つの、特性における検出された変化に応答して、前記１つまたは複数のローカル送信機のロケーションが変化していないと推論し、
前記１つまたは複数のローカル送信機のロケーションが変化していないという前記推論に応答して、前記携帯型サービスアクセストランシーバのロケーションが変化したと推論する
ようにさらに実行可能である、請求項１９に記載の物品。
【請求項２１】
携帯型サービスアクセストランシーバの推定ロケーションを判断するための手段と、
前記推定ロケーションを含む１つまたは複数の第１のメッセージを、測位サービスにおいて使用するために、サーバに送信するための手段と、
基準点に相対した、前記携帯型サービスアクセストランシーバの動きを示す１つまたは複数の条件を検出するための手段と、
前記１つまたは複数の条件の前記検出に応答して、前記推定ロケーションの信頼性または不確実性を示す１つまたは複数の第２のメッセージを、前記サーバに送信するための手段と、
前記携帯型サービスアクセストランシーバの動きを確認するための手段と、
前記動きを示す１つまたは複数の条件を検出するための手段によって生成された１つまたは複数の信号に応答して、前記携帯型サービスアクセストランシーバの更新された推定ロケーションを計算するための手段と、前記携帯型サービスアクセストランシーバの前記更新された推定ロケーションを計算するための手段は、１つまたは複数のローカル送信機から収集された１つまたは複数の信号に少なくとも部分的に基づき、前記１つまたは複数のローカル送信機は、ワイヤードバックホールを有する、
を備える装置。
【手続補正２】
【補正対象書類名】明細書
【補正対象項目名】００６９
【補正方法】変更
【補正の内容】
【００６９】
[00074]現在例示的な特徴と考えられていることを例示し説明したが、特許請求する主題から逸脱することなく、他の様々な変更を行うことができ、同等物を代用することができることが、当業者には理解されよう。さらに、本明細書に記載の中心概念から逸脱することなく、特許請求する主題の教示に特定の状況を適合させるために多くの変更を行うことができ得る。したがって、特許請求する主題は、開示された特定の例に限定されず、そのような特許請求する主題は、添付の特許請求の範囲の範囲内に入るすべての態様、およびその均等物をも含み得るものとする。
以下に本願発明の当初の特許請求の範囲に記載された発明を付記する。
［Ｃ１］
携帯型サービスアクセストランシーバにおいて、
前記携帯型サービスアクセストランシーバの推定ロケーションを判断することと、
前記推定ロケーションを含む１つまたは複数の第１のメッセージを、測位サービスにおいて使用するために、サーバに送信することと、
基準点に相対した、前記携帯型サービスアクセストランシーバの動きを示す１つまたは複数の条件を検出することと、
前記１つまたは複数の条件の前記検出に応答して、前記推定ロケーションの信頼性または不確実性を示す１つまたは複数の第２のメッセージを、前記サーバに送信することと、を備える方法。
［Ｃ２］
前記１つまたは複数の条件を前記検出することは、
１つまたは複数の送信機から送信された１つまたは複数の信号を収集することと、
前記１つまたは複数の信号のうちの少なくとも１つの、特性の変化を検出することと、をさらに備える、Ｃ１に記載の方法。
［Ｃ３］
前記特性は、受信信号強度、往復時間または信号位相を備える、Ｃ２に記載の方法。
［Ｃ４］
前記検出された変化に応答して、前記１つまたは複数の送信機のロケーションが変化していないと推論することと、
前記１つまたは複数の送信機のロケーションが変化していないという前記推論に応答して、前記携帯型サービスアクセストランシーバのロケーションが変化したと推論することと、をさらに備える、Ｃ２に記載の方法。
［Ｃ５］
前記１つまたは複数の送信機の前記ロケーションが変化していないと推論することは、
前記１つまたは複数の条件の検出に続いて取得された、前記１つまたは複数の送信機から収集された少なくとも１つの信号の１つまたは複数の特性の測定値を、前記１つまたは複数の条件の検出に先立って取得されたその前記少なくとも１つの信号の１つまたは複数の特性の測定値と比較することをさらに備える、Ｃ４に記載の方法。
［Ｃ６］
前記１つまたは複数の条件の検出に応答して、更新位置フィックスを計算するための動作を開始することをさらに備える、Ｃ１に記載の方法。
［Ｃ７］
静止屋内送信機から送信された信号の収集に少なくとも部分的に基づいて、前記更新位置フィックスを取得することをさらに備える、Ｃ６に記載の方法。
［Ｃ８］
インターネットプロトコル（ＩＰ）に従ってワイヤードネットワークにサービストラフィックを送信し、前記ワイヤードネットワークからサービスを受信することをさらに備え、前記１つまたは複数の条件を検出することは、新たに割り振られたＩＰアドレスを検出することを備える、Ｃ１に記載の方法。
［Ｃ９］
前記１つまたは複数の条件を検出することは、電力源からの前記携帯型サービスアクセストランシーバの切断を検出することを備える、Ｃ１に記載の方法。
［Ｃ１０］
前記１つまたは複数の条件の前記検出に応答して、前記携帯型サービスアクセストランシーバのロケーションの更新推定値を計算することを試みることをさらに備える、Ｃ１に記載の方法。
［Ｃ１１］
前記携帯型サービスアクセストランシーバにおける衛星測位システム（ＳＰＳ）信号の収集に少なくとも部分的に基づいて、前記携帯型サービスアクセストランシーバのロケーションの前記更新推定値を計算することを試みることをさらに備える、Ｃ１０に記載の方法。
［Ｃ１２］
ＳＰＳ信号の収集に少なくとも部分的に基づいて、ロケーションの前記更新推定値を計算するための前記試みが不成功の場合、１つまたは複数のＷＬＡＮ送信機によって送信された信号の収集に少なくとも部分的に基づいて、前記携帯型サービスアクセストランシーバのロケーションの前記更新推定値を計算することを試みることをさらに備える、Ｃ１１に記載の方法。
［Ｃ１３］
携帯型サービスアクセストランシーバであって、
通信ネットワーク上のロケーションにメッセージを送信するための送信機と、
前記携帯型サービスアクセストランシーバの推定ロケーションを判断し、
測位サービスにおいて使用するために、前記送信機を通した、サーバへの、前記推定ロケーションを含む１つまたは複数の第１のメッセージの送信を開始し、
基準点に相対した前記携帯型サービスアクセストランシーバの動きを示す１つまたは複数の条件を検出し、
前記１つまたは複数の条件の前記検出に応答して、前記送信機を通した、前記サーバへの、前記推定ロケーションの信頼性または不確実性を示す１つまたは複数の第２のメッセージの送信を開始する
ためのプロセッサと、を備える携帯型サービスアクセストランシーバ。
［Ｃ１４］
外部電力源への接続を提供するための電源をさらに備え、前記プロセッサはさらに、前記接続の途絶の検出に少なくとも部分的に応答して、前記１つまたは複数の条件を検出する、Ｃ１３に記載の携帯型サービスアクセストランシーバ。
［Ｃ１５］
ブロードバンド通信ネットワークに接続するためのモデムをさらに備え、前記プロセッサはさらに、前記携帯型サービスアクセストランシーバへの新規インターネットプロトコルアドレスの割振りに少なくとも部分的に応答して、前記１つまたは複数の条件を検出する、Ｃ１３に記載の携帯型サービスアクセストランシーバ。
［Ｃ１６］
前記プロセッサはさらに、
１つまたは複数のビーコンから収集された１つまたは複数の信号のうちの少なくとも１つの、特性における検出された変化に応答して、１つまたは複数のビーコンのロケーションが変化していないと推論し、
前記１つまたは複数のビーコンのロケーションが変化していないという前記推論に応答して、前記携帯型サービスアクセストランシーバのロケーションが変化したと推論する、Ｃ１３に記載の携帯型サービスアクセストランシーバ。
［Ｃ１７］
前記プロセッサはさらに、前記１つまたは複数の条件の検出に応答して、更新位置フィックスを計算するための動作を開始する、Ｃ１３に記載の携帯型サービスアクセストランシーバ。
［Ｃ１８］
前記プロセッサはさらに、静止屋内ビーコンから送信された信号の収集に少なくとも部分的に基づいて、前記更新位置フィックスを取得する、Ｃ１７に記載の携帯型サービスアクセストランシーバ。
［Ｃ１９］
前記プロセッサはさらに、
インターネットプロトコル（ＩＰ）に従ってワイヤードネットワークへのサービストラフィックの送信を開始し、前記ワイヤードネットワークからサービスを受信し、前記１つまたは複数の条件を検出することは、新たに割り振られたＩＰアドレスを検出することを備える、Ｃ１３に記載のモバイル。
［Ｃ２０］
専用コンピューティング装置によって、
携帯型サービスアクセストランシーバの推定ロケーションを判断し、
測位サービスにおいて使用するために、サーバへの、前記推定ロケーションを含む１つまたは複数の第１のメッセージの送信を開始し、
基準点に相対した前記携帯型サービスアクセストランシーバの動きを示す１つまたは複数の条件を検出し、
前記１つまたは複数の条件の前記検出に応答して、前記推定ロケーションの信頼性または不確実性を示す１つまたは複数の第２のメッセージの、前記サーバへの送信を開始するように実行可能な、記憶された機械可読命令を備える非一時的記憶媒体を備える、物品。
［Ｃ２１］
前記命令は、前記専用コンピューティング装置によって、
１つまたは複数の送信機から収集された１つまたは複数の信号のうちの少なくとも１つの、特性における検出された変化に応答して、１つまたは複数の送信機のロケーションが変化していないと推論し、
前記１つまたは複数の送信機のロケーションが変化していないという前記推論に応答して、前記携帯型サービスアクセストランシーバのロケーションが変化したと推論するようにさらに実行可能である、Ｃ２０に記載の物品。
［Ｃ２２］
前記命令は、前記専用コンピューティング装置によって、前記１つまたは複数の条件の検出に応答して、更新位置フィックスを計算するための動作を開始するようにさらに実行可能である、Ｃ２０に記載の物品。
［Ｃ２３］
携帯型サービスアクセストランシーバの推定ロケーションを判断するための手段と、
前記推定ロケーションを含む１つまたは複数の第１のメッセージを、測位サービスにおいて使用するために、サーバに送信するための手段と、
基準点に相対した、前記携帯型サービスアクセストランシーバの動きを示す１つまたは複数の条件を検出するための手段と、
前記１つまたは複数の条件の前記検出に応答して、前記推定ロケーションの信頼性または不確実性を示す１つまたは複数の第２のメッセージを、前記サーバに送信するための手段と、を備える装置。
［Ｃ２４］
パーソナルサービスアクセストランシーバ（ＰＳＡＴ）において、
ロケーションサーバと通信して、屋内ナビゲーション支援データを取得することと、
１つまたは複数の屋内ナビゲーション信号を収集することと、
前記屋内ナビゲーション支援データへの、前記収集された信号のうちの少なくとも１つの特性の適用に少なくとも部分的に基づいて、前記ＰＳＡＴのロケーションの推定値を計算することと、を備える方法。
［Ｃ２５］
前記計算された推定値を、少なくとも１つのナビゲーションサービスを提供する際に使うことをさらに備える、Ｃ２４に記載の方法。
［Ｃ２６］
前記ロケーションサーバと通信して、屋内ナビゲーション支援データを取得することは、
前記ＰＳＡＴの現在のロケーションを示す情報に少なくとも部分的に基づいて、前記ＰＳＡＴの現在のロケーション、コンテキストハンドルを関連付けることと、
前記コンテキストハンドルに少なくとも部分的に基づいて、前記屋内ナビゲーション支援データを要求することと、をさらに備える、Ｃ２４に記載の方法。
［Ｃ２７］
前記現在のロケーションの前記情報は、直近に受信された衛星測位システム（ＳＰＳ）位置フィックスを備える、Ｃ２６に記載の方法。
［Ｃ２８］
前記現在のロケーションの前記情報は、ユーザ入力ロケーションを備える、Ｃ２６に記載の方法。
［Ｃ２９］
既知のロケーションに位置決めされた送信機からの少なくとも１つの信号の収集に少なくとも部分的に基づいて、前記ＰＳＡＴが移動されたことを検出することをさらに備える、Ｃ２６に記載の方法。
［Ｃ３０］
前記ＰＳＡＴが移動されたことの検出に応答して、更新コンテキストハンドルを判断することと、
前記更新コンテキストハンドルに少なくとも部分的に基づいて、前記ロケーションサーバから、更新された屋内ナビゲーション支援データを取得することと、
前記更新された屋内ナビゲーション支援データに少なくとも部分的に基づいて、前記ロケーションの更新された推定値を計算することと、をさらに備える、Ｃ２９に記載の方法。
［Ｃ３１］
前記ＰＳＡＴの推定されたロケーションを、近接位置として使用するために、緊急応答機関にフォワードすることをさらに備える、Ｃ２４に記載の方法。
［Ｃ３２］
前記ＰＳＡＴの推定されたロケーションに少なくとも部分的に基づいて、緊急応答機関（ＰＳＡＰ）を選択することと、
緊急事態の検出に応答して、前記選択されたＰＳＡＰに呼をルーティングすることと、をさらに備える、Ｃ２４に記載の方法。
［Ｃ３３］
前記ロケーションサーバと通信して、屋内ナビゲーション支援データを取得することは、
ワイヤード接続を介して、およびワイヤレスアクセスサービスを使用せずに、前記ロケーションサーバに要求メッセージを送信することと、
前記ワイヤード接続を介して、およびワイヤレスアクセスサービスを使用せずに、前記屋内ナビゲーション支援データを受信することと、を備える、Ｃ２４に記載の方法。
［Ｃ３４］
前記ワイヤード接続は、ケーブルサービスを介したインターネットプロトコル接続を備える、Ｃ３３に記載の方法。
［Ｃ３５］
前記ワイヤード接続は、基地局コントローラへのバックホール接続を備える、Ｃ３３に記載の方法。
［Ｃ３６］
前記要求メッセージは、携帯型サービスアクセストランシーバの近似ロケーションを示すコンテキストハンドルを備える、Ｃ３３に記載の方法。
［Ｃ３７］
携帯型サービスアクセストランシーバ（ＰＳＡＴ）であって、
ワイヤレスに送信された信号を収集するための受信機と、
ロケーションサーバと通信して、屋内ナビゲーション支援データを取得し、
前記受信機において収集された１つまたは複数の屋内ナビゲーション信号の特性を取得し、
前記屋内ナビゲーション支援データへの、前記収集された信号のうちの少なくとも１つの特性の適用に少なくとも部分的に基づいて、前記ＰＳＡＴのロケーションの推定値を計算する
ためのプロセッサと、を備えるＰＳＡＴ。
［Ｃ３８］
ワイヤード通信リンクを介してメッセージを送信および受信するためのワイヤード通信アダプタをさらに備え、前記プロセッサはさらに、
前記ワイヤード通信アダプタを通して、およびワイヤード通信リンクを介して、およびワイヤレスアクセスサービスを使用せずに、前記ロケーションサーバへの要求メッセージの送信を開始し、
前記ワイヤード通信リンクを介して、およびワイヤレスアクセスサービスを使用せずに、前記要求メッセージに応答して、前記ワイヤード通信アダプタにおいて受信された前記屋内ナビゲーション支援データを取得する、Ｃ３７に記載のＰＳＡＴ。
［Ｃ３９］
前記ワイヤード通信リンクは、インターネットプロトコルサービスを受信するためのケーブルを備える、Ｃ３８に記載のＰＳＡＴ。
［Ｃ４０］
前記ワイヤード通信リンクは、基地局コントローラへのバックホール接続を備える、Ｃ３８に記載のＰＳＡＴ。
［Ｃ４１］
前記要求メッセージは、前記携帯型サービスアクセストランシーバの近似ロケーションを示すコンテキストハンドルを備える、Ｃ３８に記載のＰＳＡＴ。
［Ｃ４２］
サーバにおいて、
携帯型サービスアクセストランシーバ（ＰＳＡＴ）に屋内ナビゲーション支援データを送信することと、
前記送信された屋内ナビゲーション支援データに少なくとも部分的に基づいて判断された、前記ＰＳＡＴのロケーションの推定値を受信することと、
記憶媒体中の前記屋内ナビゲーション支援データを、前記ＰＳＡＴの前記ロケーションの前記受信された推定値および前記ＰＳＡＴの識別子を含むように更新することと、前記更新された屋内ナビゲーション支援データは、モバイルデバイスに対して利用可能にされる、を備える方法。
［Ｃ４３］
前記ＰＳＡＴの前記ロケーションの前記推定値の信頼性または精度を評価することをさらに備え、
前記屋内ナビゲーション支援データを更新することは、前記評価された信頼性または精度に少なくとも部分的に基づいて、前記ＰＳＡＴの前記ロケーションの前記推定値を、屋内測位支援データに選択的に含めることをさらに備える、Ｃ４２に記載の方法。
［Ｃ４４］
前記ロケーションの前記推定値の前記信頼性または精度を評価することは、前記ＰＳＡＴの前記ロケーションの前記推定値の推定分散を閾値と比較することを備える、Ｃ４３に記載の方法。
［Ｃ４５］
前記ＰＳＡＴの前記識別子は、ＭＡＣアドレスまたはセルＩＤを備える、Ｃ４２に記載の方法。
［Ｃ４６］
前記更新された屋内ナビゲーション支援データは、前記ＰＳＡＴの前記ロケーションの前記推定値を含む、少なくとも３つの送信機の推定ロケーションを備える、Ｃ４２に記載の方法。
［Ｃ４７］
通信インターフェースと、
携帯型サービスアクセストランシーバ（ＰＳＡＴ）への、屋内ナビゲーション支援データの送信を開始し、
前記送信された屋内ナビゲーション支援データに少なくとも部分的に基づいて判断され、前記通信インターフェースにおいて受信された前記ＰＳＡＴのロケーションの推定値を取得し、
記憶媒体中の前記屋内ナビゲーション支援データを、前記ＰＳＡＴの前記ロケーションの前記受信された推定値および前記ＰＳＡＴの識別子を含むように更新する、前記更新された屋内ナビゲーション支援データは、測位動作のためにモバイルデバイスに対して利用可能にされる、
ための１つまたは複数のプロセッサと、を備えるサーバ。
［Ｃ４８］
前記１つまたは複数のプロセッサはさらに、
前記ＰＳＡＴの前記ロケーションの前記推定値の信頼性または精度を評価し、
前記評価された信頼性または精度に少なくとも部分的に基づいて、前記ＰＳＡＴの前記ロケーションの前記推定値を、屋内測位支援データにさらに選択的に含めることによって、前記屋内ナビゲーション支援データを更新する、Ｃ４７に記載のサーバ。
［Ｃ４９］
前記ロケーションの前記推定値の前記信頼性または精度は、前記ＰＳＡＴの前記ロケーションの前記推定値の推定分散を閾値と比較することによって評価される、Ｃ４８に記載のサーバ。
［Ｃ５０］
専用コンピューティング装置によって、
携帯型サービスアクセストランシーバ（ＰＳＡＴ）への、屋内ナビゲーション支援データの送信を開始し、
前記送信された屋内ナビゲーション支援データに少なくとも部分的に基づいて判断され、通信インターフェースにおいて受信された前記ＰＳＡＴのロケーションの推定値を取得し、
記憶媒体中の前記屋内ナビゲーション支援データを、前記ＰＳＡＴの前記ロケーションの前記受信された推定値および前記ＰＳＡＴの識別子を含むように更新する、前記更新された屋内ナビゲーション支援データは、測位動作のためにモバイルデバイスに対して利用可能にされる、ように実行可能な、記憶された機械可読命令を備える記憶媒体を備える物品。
［Ｃ５１］
携帯型サービスアクセストランシーバ（ＰＳＡＴ）に屋内ナビゲーション支援データを送信するための手段と、
前記送信された屋内ナビゲーション支援データに少なくとも部分的に基づいて判断された、前記ＰＳＡＴのロケーションの推定値を受信するための手段と、
記憶媒体中の前記屋内ナビゲーション支援データを、前記ＰＳＡＴの前記ロケーションの前記受信された推定値および前記ＰＳＡＴの識別子を含むように更新するための手段と、前記更新された屋内ナビゲーション支援データは、測位動作のためにモバイルデバイスに対して利用可能にされる、
を備える装置。